(57)【要約】【課題】ライン照明のための配列時、電源ケーブルによる干渉がないように改善してライン照明の連続性と均一性を向上させることによって、ライン照明用途にも効率良く使用できるライン照明が可能なＬＥＤサインモジュールを提供する【解決手段】本発明はライン照明が可能なＬＥＤサインモジュールに関するものであって、直線型のケーシングにＬＥＤ光源部が防水処理されて内蔵されると共に、ＬＥＤ光源部と接続された電源ケーブルがケーシングを貫通して外部に延長され、前記電源ケーブルを介して他のＬＥＤサインモジュールと連結されるＬＥＤサインモジュールにおいて、前記電源ケーブルはケーシングの側面部を貫通して一定角度傾斜した方向に延長され、ケーシングの端部の下端には電源ケーブルの通過のための折曲溝が形成されることを特徴として構成される。【選択図】図１
2019016466.tif 000002
【特許請求の範囲】
【請求項１】
直線型のケーシングにＬＥＤ光源部が防水処理されて内蔵されると共に、ＬＥＤ光源部と接続された電源ケーブルがケーシングを貫通して外部に延長され、前記電源ケーブルを介して他のＬＥＤサインモジュールと連結されるＬＥＤサインモジュールであって、
前記電源ケーブルはケーシングの側面部を貫通して一定角度傾斜した方向に延長され、ケーシングの端部の下端には電源ケーブルの通過のための折曲溝が形成されることを特徴とする、ライン照明が可能なＬＥＤサインモジュール。
【発明の詳細な説明】
【技術分野】
【０００１】
本発明はＬＥＤサインモジュールに関し、特に広告看板用サイン照明だけでなく、室内装飾などのためのライン照明でも効率良く使用できるライン照明が可能なＬＥＤサインモジュールに関する。
【背景技術】
【０００２】
一般に、ＬＥＤサインモジュールは特許文献１に開示されているように、ケーシングにＬＥＤ光源部が防水処理されて内蔵され、ケーシングの上部には光カバーが結合され、ＬＥＤ光源部と接続された電源ケーブルがケーシングを貫通して外部に延長される構成を有する
【０００３】
このような構成のＬＥＤサインモジュールは、多数個が電源ケーブルを介して相互連結されながら文字形態などによって多様に配置できるように構成されることによって、主に文字看板や広告看板などのサイン照明のために使われてきた。
【０００４】
ところで、最近になって室内の雰囲気及び装飾美を向上させるためのライン照明が脚光を浴びるにつれて、ＬＥＤサインモジュールを既存のサイン照明用途だけでなく、装飾のためのライン照明用途にも活用する必要性が台頭した。
【０００５】
しかしながら、従来のＬＥＤサインモジュールは電源ケーブルがケーシングの端部から長手方向に延長されて他のＬＥＤサインモジュールと連結される構成であるので、ライン照明のためにＬＥＤサインモジュールを一列に配列設置する時、電源ケーブルをどんなに撓み変形させるとしてもＬＥＤサインモジュールの間に連結された電源ケーブルの干渉によってＬＥＤサインモジュールを相互間に密着させて配列することができず、それによってライン照明の連続性と均一性を確保することができないので、ライン照明に広く活用され難いという問題点がある。
【先行技術文献】
【特許文献】
【０００６】
【特許文献１】韓国公開特許第１０−２０１０−０１２７８９５号公報
【発明の概要】
【発明が解決しようとする課題】
【０００７】
本発明は従来の問題点を解決するために提案されるものであって、本発明の目的は、ライン照明のための配列時、電源ケーブルによる干渉がないように改善してライン照明の連続性と均一性を向上させることによって、ライン照明用途にも効率良く使用できるライン照明が可能なＬＥＤサインモジュールを提供することにある。
【課題を解決するための手段】
【０００８】
前記の目的を達成するための本発明の課題解決手段として、直線型のケーシングにＬＥＤ光源部が防水処理されて内蔵されると共に、ＬＥＤ光源部と接続された電源ケーブルがケーシングを貫通して外部に延長され、前記電源ケーブルを介して他のＬＥＤサインモジュールと連結されるＬＥＤサインモジュールにおいて、前記電源ケーブルはケーシングの側面部を貫通して一定角度傾斜した方向に延長され、ケーシングの端部の下端には電源ケーブルの通過のための折曲溝が形成されるライン照明が可能なＬＥＤサインモジュールを開示する。
【発明の効果】
【０００９】
本発明のライン照明が可能なＬＥＤサインモジュールによれば、ライン照明のために一列に配置する時、ケーシングの側面部で一定角度傾斜するように延長された電源ケーブルを撓み変形してケーシングの折曲溝を通じて通過させることによって、電源ケーブルの干渉無しでＬＥＤサインモジュールを相互間に完全に密着させて配列することができ、それによってライン照明の連続性と均一性を向上させることができるので、効率良いライン照明が可能となる効果がある。
【図面の簡単な説明】
【００１０】
【図１】本発明のライン照明が可能なＬＥＤサインモジュールの概略的な外観構成を示した図である。
【図２】図１を上面視を示した図である。
【図３】図１の断面構成を示した図である。
【図４】本発明のＬＥＤサインモジュールが電源ケーブルを介して多数個連結されたことを示した図である。
【図５】ライン照明のために本発明のＬＥＤサインモジュールが一列に密着配置されたことを立体的に示した図である。
【図６】ライン照明のために本発明のＬＥＤサインモジュールが一列に密着配置されたことを立体的に示した図である。
【発明を実施するための形態】
【００１１】
以下、添付した図面を参照して本発明のライン照明が可能なＬＥＤサインモジュールに対する好ましい実施形態を詳細に説明する。
【００１２】
図１から図６には、本発明の一実施形態のライン照明が可能なＬＥＤサインモジュール１００（以下、“サインモジュール”と略称する）が例示されており、本発明のサインモジュール１００は通常的な構成と同一に、ケーシング１０、ＬＥＤ光源部２０、防水層３０、光カバー４０、及び電源ケーブル５０を含んで構成される。
【００１３】
前記ケーシング１０は、上部が開放された直線形態に形成される。
【００１４】
ここで、ケーシング１０は長手方向の端部の下端に電源ケーブル５０の通過可能に折曲溝１１が形成される特徴を有する。
【００１５】
前記ＬＥＤ光源部２０は前記ケーシング１０に内蔵され、回路基板２１上に光源であるＬＥＤ２２が一定間隔で実装配列された構成からなる。
【００１６】
前記防水層３０は、ＬＥＤ２２のみ上部に露出されるようにケーシング１０に充填されることによって、ＬＥＤ光源部２０が防水処理されるようにする。
【００１７】
前記光カバー４０は、ケーシング１０の開放された上部に結合され、ＬＥＤ光源部２０の光を拡散及び透過させる。
【００１８】
前記電源ケーブル５０は、ＬＥＤ光源部２０の電源供給のためのものであって、ＬＥＤ光源部２０と接続されてケーシング１０の外部に延長される。
【００１９】
ここで、前記電源ケーブル５０は図１及び図２に示したように、ケーシング１０の端部から長手方向に延長される従来の構成とは異なり、ケーシング１０の側面部を貫通して一定角度（θ）に傾斜した方向に延長されるように構成された特徴を有する。
【００２０】
前記一構成を有する本発明のサインモジュール１００は、図４に示したように、電源ケーブル５０を介して他のサインモジュール１００と連結されて配列されることによって、看板などのサイン照明用途に使用できる。
【００２１】
また、本発明のサインモジュール１００をライン照明用途に使用する場合には、サインモジュール１００と隣り合うサインモジュール１００がケーシング１０の側面部で傾斜した方向に延長された電源ケーブル５０により相互連結されると共に、対向するケーシング１０の下部に折曲溝１１が形成されているので、図５及び図６に示したように、電源ケーブル５０が折曲溝１１を通過するように撓み変形されれば、電源ケーブル５０の干渉無しでサインモジュール１００が相互間に完全に密着して一列に配置できる。
【００２２】
したがって、本発明のサインモジュール１００は電源ケーブル５０の干渉無しで密着配置されことによって、従来のようにサインモジュール相互間の連結部分で発生する不連続性と不均一性の問題無しでライン照明にも効率良く使用できることが分かる。
【符号の説明】
【００２３】
１０    ケーシング
１１    折曲溝
２０    ＬＥＤ光源部
２１    回路基板
２２    ＬＥＤ
３０    防水層
４０    光カバー
５０    電源ケーブル
【図１】
2019016466.tif 000003
【図２】
2019016466.tif 000004
【図３】
2019016466.tif 000005
【図４】
2019016466.tif 000006
【図５】
2019016466.tif 000007
【図６】
2019016466.tif 000008